【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
着信するイベント通知に関連付けられた、およびコンピューティング装置のハードウェアとソフトウェアの統合性に関する、ソフトウェア・アプリケーションの機能性を通知するのに配色（color scheme）を使用する方法であって、前記コンピューティング装置は、
ディスプレイであって、当該ディスプレイの背景照明として適切な配色で照明することが可能なディスプレイと
前記適切な配色で照明されることが可能な複数のハードウェア・ボタンと、
第１のソフトウェア・アプリケーションと第２のソフトウェア・アプリケーションであって、ハードウェア・ボタンから入力を受信することによって選択可能な、ソフト・キーに、着信イベント通知にしたがって機能を関連付ける、第１のモバイル・パートナーに関連付けられたオペレーティング・システムの第１のソフトウェア・アプリケーションと、第２のモバイル・パートナーに関連付けられた電話アプリケーションの第２のソフトウェア・アプリケーションと
を備え、
前記配色は、第１のソフトウェア・アプリケーションと第２のソフトウェア・アプリケーションに、前記第１のモバイル・パートナー用の第１のブランド拡張配色と前記第２のモバイル・パートナー用の第２のブランド拡張配色とを含む配色を、前記ソフト・キーの前記機能が前記ハードウェア・ボタンに関連付けられることを指し示すように、関連付けられ、
前記方法は、
前記コンピューティング装置上の前記第１のソフトウェア・アプリケーションに対して具体例を提供する着信イベント通知を受信し、前記第１のソフトウェア・アプリケーションが、前記着信イベント通知を受けて、前記ソフトウェア・キー用のソフトウェア機能選択子を決定すること、
前記オペレーティング・システムの機能性にしたがって、前記着信イベント通知に応答して、前記ハードウェア・ボタンが、前記ソフト・キーの機能性に関連付けられたことを示し、前記第１のソフトウェア・アプリケーションが前記第１のモバイル・パートナーに関連付けられたことを指し示すように、前記第１のブランド拡張配色にしたがって、前記ソフト・キーと前記ハードウェア・ボタンとを照明すること、
前記第２のソフトウェア・アプリケーションの自動的な具体例を引き起こす着信電話呼の第２の着信イベント通知を受信すること、および
前記第２のソフトウェア・アプリケーションの具体例に自動的に応じて、前記電話アプリケーションの機能性にしたがって、前記着信イベント通知に応じて、前記ハードウェア・ボタンが、前記ソフトウェア・キーの機能性に関連付けられたことを指し示し、前記第２のソフトウェア・アプリケーションが前記第２のモバイル・パートナーに関連付けられたことを指し示すように、前記第２のブランド拡張配色にしたがって、前記ソフト・キーと前記ハードウェア・ボタンとを自動的に照明すること
を備えることを特徴とする方法。
【請求項２】
前記ハードウェア・ボタンを照明することは、照明要素を発光させることをさらに備え、前記照明要素は、３色発光ダイオードと電界発光灯とを備えるグループのうちの少なくとも一つの部材であることを特徴とする請求項１に記載の方法。
【請求項３】
前記着信するイベント通知は、着呼に関連付けられることを特徴とする請求項１に記載の方法。
【請求項４】
前記配色（color scheme）は、前記ソフトウェア・アプリケーションに関連付けられた経過時間に対応する情報を通知するために変化することを特徴とする請求項１に記載の方法。
【請求項５】
前記第１および第２のブランド拡張配色は、サービス・プロバイダに関連付けられることを特徴とする請求項１に記載の方法。
【請求項６】
前記第１および第２のブランド拡張配色は、利用者端末製造メーカに関連付けられることを特徴とする請求項１に記載の方法。
【請求項７】
前記第１および第２のブランド拡張配色は、前記コンピューティング装置上のアプリケーションに関連付けられることを特徴とする請求項１に記載の方法。
【請求項８】
着信するイベント通知に関連付けられた、およびコンピューティング装置のハードウェアとソフトウェアの統合性に関する、ソフトウェア・アプリケーションの機能性を通知するのに配色（color scheme）を使用する、オペレーティング・システムと複数のプログラムを有するコンピュータ読み取り可能な記憶媒体であって、
前記コンピューティング装置は、
ディスプレイであって、当該ディスプレイの背景照明として適切な配色で照明することが可能なディスプレイと、
前記適切な配色で照明されることが可能な複数のハードウェア・ボタンと、
前記複数のプログラムは、第１のソフトウェア・アプリケーションと第２のソフトウェア・アプリケーションであって、ハードウェア・ボタンから入力を受信することによって選択可能なソフト・キーに、着信イベント通知にしたがって機能を関連付ける、第１のモバイル・パートナーに関連付けられたオペレーティング・システムの第１のソフトウェア・アプリケーションと、第２のモバイル・パートナーに関連付けられた電話アプリケーションの第２のソフトウェア・アプリケーションとを備え、
前記配色は、第１のソフトウェア・アプリケーションと第２のソフトウェア・アプリケーションに、前記第１のモバイル・パートナー用の第１のブランド拡張配色と前記第２のモバイル・パートナー用の第２のブランド拡張配色とを含む配色を、前記ソフト・キーの前記機能が前記ハードウェア・ボタンに関連付けられることを指し示すように、関連付けられ、
前記オペレーティング・システムと前記複数のプログラムは、前記コンピューティング装置を、
前記コンピューティング装置上の前記第１のソフトウェア・アプリケーションに対して具体例を提供する着信イベント通知を受信し、前記第１のソフトウェア・アプリケーションが、前記着信イベント通知を受けて、前記ソフトウェア・キー用のソフトウェア機能選択子を決定する手段、
前記オペレーティング・システムの機能性にしたがって、前記着信イベント通知に応答して、前記ハードウェア・ボタンが、前記ソフト・キーの機能性に関連付けられたことを示し、前記第１のソフトウェア・アプリケーションが前記第１のモバイル・パートナーに関連付けられたことを指し示すように、前記第１のブランド拡張配色にしたがって前記コンピューティング装置上のハードウェア・ボタンを照明する手段、
前記第２のソフトウェア・アプリケーションの自動的な具体例を引き起こす着信電話呼の着信イベント通知を受信する手段、および
前記第２のソフトウェア・アプリケーションの具体例に自動的に応じて、前記電話アプリケーションの機能性にしたがって、前記着信イベント通知に応じて、前記ハードウェア・ボタンが、前記ソフトウェア・キーの機能性に関連付けられたことを指し示し、前記第２のソフトウェア・アプリケーションが、前記第２のモバイル・パートナーに関連付けられたことを指し示すように、前記第２のブランド拡張配色にしたがって、前記コンピューティング装置上の前記ソフト・キーと前記ハードウェア・ボタンを自動的に照明する手段
として動作させることを特徴とするコンピュータ読み取り可能な記憶媒体。
【請求項９】
前記ハードウェア・ボタンを照明することは、照明要素を発光させることをさらに備え、前記照明要素は、３色発光ダイオードと電界発光灯とを備えるグループのうちの少なくとも一つの部材であることを特徴とする請求項８に記載のコンピュータ読み取り可能な記憶媒体。
【請求項１０】
前記着信するイベント通知は、着呼に関連付けられることを特徴とする請求項８に記載のコンピュータ読み取り可能な記憶媒体。
【請求項１１】
前記配色（color scheme）は、前記ソフトウェア・アプリケーションに関連付けられた経過時間に対応する情報を通知するために変化することを特徴とする請求項８に記載のコンピュータ読み取り可能な記憶媒体。
【請求項１２】
前記第１および第２のブランド拡張配色は、サービス・ブロバイダに関連付けられることを特徴とする請求項８に記載のコンピュータ読み取り可能な記憶媒体。
【請求項１３】
前記第１および第２のブランド拡張配色は、利用者端末製造メーカに関連付けられることを特徴とする請求項８に記載のコンピュータ読み取り可能な記憶媒体。
【請求項１４】
前記第１および第２のブランド拡張配色は、前記コンピューティング装置上のアプリケーションに関連付けられることを特徴とする請求項８に記載のコンピュータ読み取り可能な記憶媒体。
【請求項１５】
着信するイベント通知に関連付けられた、およびコンピューティング装置のハードウェアとソフトウェアの統合性に関する、ソフトウェア・アプリケーションの機能性を通知するのに配色（color scheme）を使用するシステムであって、前記コンピューティング装置は、
プロセッサ、
ディスプレイであって、当該ディスプレイの背景照明として適切な配色で照明することが可能なディスプレイと、
前記適切な配色で照明されることが可能な複数のハードウェア・ボタンと、
オペレーティング・システムと複数のプログラムを格納したメモリと
を備え、前記複数のプログラムは、第１のソフトウェア・アプリケーションと第２のソフトウェア・アプリケーションであって、ハードウェア・ボタンから入力を受信することによって選択可能なソフト・キーに、着信イベント通知にしたがって機能を関連付ける、第１のモバイル・パートナーに関連付けられたオペレーティング・システムの第１のソフトウェア・アプリケーションと、第２のモバイル・パートナーに関連付けられた電話アプリケーションの第２のソフトウェア・アプリケーションとを備え、
前記配色は、第１のソフトウェア・アプリケーションと第２のソフトウェア・アプリケーションに、前記第１のモバイル・パートナー用の第１のブランド拡張配色と前記第２のモバイル・パートナー用の第２のブランド拡張配色とを含む配色を、前記ソフト・キーの前記機能が前記ハードウェア・ボタンに関連付けられることを指し示すように、関連付けられ、
前記オペレーティング・システムと前記複数のプログラムは、前記プロセッサによって実行された際に、前記コンピューティング装置を、
前記コンピューティング装置上の前記第１のソフトウェア・アプリケーションに対して具体例を提供する着信イベント通知を受信し、前記第１のソフトウェア・アプリケーションが、前記着信イベント通知を受けて、前記ソフトウェア・キー用のソフトウェア機能選択子を決定する手段、
前記オペレーティング・システムの機能性にしたがって、前記着信イベント通知に応答して、前記ハードウェア・ボタンが、前記ソフト・キーの機能性に関連付けられたことを示し、前記第１のソフトウェア・アプリケーションが前記第１のモバイル・パートナーに関連付けられたことを指し示すように、前記第１のブランド拡張配色にしたがって前記コンピューティング装置上のハードウェア・ボタンを照明する手段、
前記第２のソフトウェア・アプリケーションの自動的な具体例を引き起こす着信電話呼の着信イベント通知を受信する手段、および
前記第２のソフトウェア・アプリケーションの具体例に自動的に応じて、前記電話アプリケーションの機能性にしたがって、前記着信イベント通知に応じて、前記ハードウェア・ボタンが、前記ソフトウェア・キーの機能性に関連付けられたことを指し示し、前記第２のソフトウェア・アプリケーションが、前記第２のモバイル・パートナーに関連付けられたことを指し示すように、前記第２のブランド拡張配色にしたがって、前記コンピューティング装置上の前記ソフト・キーと前記ハードウェア・ボタンを自動的に照明する手段
として動作させることを特徴とするシステム。
【請求項１６】
前記ハードウェア・ボタンを照明することは、照明要素を発光させることをさらに備え、前記照明要素は、３色発光ダイオードと電界発光灯とを備えるグループのうちの少なくとも一つの部材であることを特徴とする請求項１５に記載のシステム。
【請求項１７】
前記着信するイベント通知は、着呼に関連付けられることを特徴とする請求項１５に記載のシステム。
【請求項１８】
前記配色（color scheme）は、前記ソフトウェア・アプリケーションに関連付けられた経過時間に対応する情報を通知するために変化することを特徴とする請求項１５に記載のシステム。
【請求項１９】
前記第１および第２のブランド拡張配色は、サービス・ブロバイダに関連付けられることを特徴とする請求項１５に記載のシステム。
【請求項２０】
前記第１および第２のブランド拡張配色は、利用者端末製造メーカに関連付けられることを特徴とする請求項１５に記載のシステム。
【請求項２１】
前記第１および第２のブランド拡張配色は、前記コンピューティング装置上のアプリケーションに関連付けられることを特徴とする請求項１５に記載のシステム。